(57)【要約】【課題】悪戯などでカバーが開けられたことを容易に検知できる遠隔検針装置を提供する。【解決手段】ケース１０は、電力事業者から送電網を介して供給され、需要家側で消費された電力量を計量する計量部と、計量部の計量結果を外部に送信する通信部とを収納する。ケース１０の外側には端子２ａ〜２ｃ，３ａ〜３ｃが配置される。端子２ａ〜２ｃは計量部に一次側の電力線を接続するために用いられ、端子３ａ〜３ｃは計量部に二次側の電力線を接続するために用いられる。ケース１０には、端子２ａ〜２ｃ，３ａ〜３ｃを覆う端子カバー２０が取り付けられる。検知スイッチ９ａは、端子カバー２０がケース１０に取り付けられているか否かを検知する。ケース１０はボディ３０とカバー４０とを組み合わせて構成される。ボディ３０とカバー４０とを組み合わせた状態で両者を結合するネジ５０は、端子カバー２０によって覆われる領域に設けられている。【選択図】図１
2014153296.tif 000002
【特許請求の範囲】
【請求項１】
需要家に送電網を通じて電力を供給する電力事業者から前記送電網を通じて供給され、需要家によって消費される電力量を計量する計量部と、
前記計量部の計量結果を外部に送信する通信部と、
少なくとも前記計量部を内部に収納するケースと、
前記ケースの外側に露出した状態で配置され、前記計量部に一次側及び二次側の前記電力線を接続するために用いられる端子と、
前記端子を覆うようにして前記ケースに取り付けられる端子カバーと
前記端子カバーが前記ケースに取り付けられているか否かを検知する検知部とを備え、
前記ケースは、複数の部材を組み合わせることによって構成され、
複数の前記部材を組み合わせた状態で前記部材同士を結合するための結合部材は、前記端子カバーによって覆われる領域に設けられたことを特徴とする遠隔検針装置。
【発明の詳細な説明】
【技術分野】
【０００１】
本発明は、遠隔検針装置に関するものである。
【背景技術】
【０００２】
従来、需要家が使用した電力量を計量し、その計量値を外部に通信により伝達する遠隔検針装置があった（例えば特許文献１参照）。特許文献１の遠隔検針装置では、電力量を計測するための計測素子と、計測素子によって計測された電力量を積算する計量部と、計量部の積算結果を表示する表示部と、積算結果を外部に通信により伝達する通信制御部とを、電力量計の内部に収納している。電力量計の筐体外殻はベースとガラスカバーと端子箱と端子カバーで構成されている。ベースには計測素子と計量部と表示部と通信制御部とが取り付けられている。端子箱には、外部から被計測信号を取り込む入力端子と、計量信号を出力する通信端子が設けられている。検定機関などで計量部の計量精度を確認した後、計測素子と計量部と表示部と通信制御部とをガラスカバーで覆って封印しており、外部から計量部に触れることができないようにしている。また端子箱には入力端子及び通信端子を覆う端子カバーが取り付けられている。
【先行技術文献】
【特許文献】
【０００３】
【特許文献１】特開２００２−８１７４号公報
【発明の概要】
【発明が解決しようとする課題】
【０００４】
上述の遠隔検針装置では、遠隔検針を行うため、検針員が計量装置の設置現場に出向く機会が減少し、不正行為や悪戯などでガラスカバーや端子カバーが外されたとしても、検針員が気付くのが遅れ、そのまま放置される可能性があった。
【０００５】
本発明は上記課題に鑑みて為されたものであり、その目的とするところは、悪戯などでカバーが開けられたことを容易に検知できる遠隔検針装置を提供することにある。
【課題を解決するための手段】
【０００６】
本発明の遠隔検針装置は、計量部と、通信部と、ケースと、端子と、端子カバーと、検知部とを備える。計量部は、需要家に送電網を通じて電力を供給する電力事業者から送電網を通じて供給され、需要家によって消費される電力量を計量する。通信部は、計量部の計量結果を外部に送信する。ケースは少なくとも計量部を内部に収納する。端子は、ケースの外側に露出した状態で配置され、計量部に一次側及び二次側の電力線を接続するために用いられる。端子カバーは、端子を覆うようにして、ケースに取り付けられる。検知部は、端子カバーがケースに取り付けられているか否かを検知する。ケースは、複数の部材を組み合わせることによって構成される。複数の部材を組み合わせた状態で部材同士を結合するための結合部材は、端子カバーによって覆われる領域に設けられている。
【発明の効果】
【０００７】
悪戯などでケースを開けるためには、結合部材を外す必要があるが、結合部材は端子カバーで覆われる領域に配置されているので、先ず端子カバーをケースから取り外す必要がある。端子カバーが外された場合、端子カバーが外されたことを検知部が検知できるので、検知部の検知結果をもとに、端子カバーが外されたこと、又は、端子カバーが外され且つケースが開けられたことの両方を検知できる。よって、悪戯などでケースが開けられた場合に、ケースが開けられたことに気付かずに、放置されてしまう事態を回避できる。また、１つの検知部だけで、端子カバーで覆われる領域とケースの内部領域との両方又は何れか一方が露出したことを検知することができる。よって、端子カバーがケースに取り付けられているか否かを検知する検知部とは別に、ケースが開けられたか否かを検知する手段を設ける必要が無く、コストダウンを図ることができる。
【図面の簡単な説明】
【０００８】
【図１】本実施形態の遠隔検針装置を示し、（ａ）は正面図、（ｂ）は右側面図、（ｃ）は右側から見た断面図、（ｄ）は下面図である。
【図２】同上の遠隔検針装置を構成する計量ユニットを示し、（ａ）は正面図、（ｂ）は右側面図、（ｃ）は下面図である。
【図３】同上の遠隔検針装置に電力線を接続した状態を示し、（ａ）は一部省略した正面図、（ｂ）は一部省略したＢ−Ｂ線断面図である。
【図４】同上の遠隔検針装置のブロック図である。
【発明を実施するための形態】
【０００９】
以下に、本発明に係る遠隔検針装置の実施形態を図面に基づいて説明する。
【００１０】
本実施形態の遠隔検針装置は、電力事業者から送電網を通じて電力の供給を受ける需要家に設置され、需要家によって消費された電力量を計量し、計量結果を外部に送信するために用いられる。
【００１１】
図４は遠隔検針装置１のブロック図である。遠隔検針装置１は、端子部２，３と、電流・電圧計測部４と、計量部５と、表示部６と、通信部７と、開閉部８と、検知部９を備える。
【００１２】
端子部２は、送電網からの電力線１００が接続される一次側の端子である。送電網から需要家への配電形式は単相三線式であり、電力線１００はＬ１相とＬ２相と中性相の３本の電線１０２からなり、端子部２は３極の端子を備えている（図３（ａ）参照）。
【００１３】
端子部３は、需要家側への電力線１０１が接続される二次側の端子である。電力線１０１も、電力線１００と同様、Ｌ１相とＬ２相と中性相の３本の電線１０２からなり、端子部３は３極の端子を備えている（図３（ａ）参照）。
【００１４】
電流・電圧計測部４は、例えばカレントトランス（図示せず）を用いて端子部２から入力される入力電流を計測する。また電流・電圧計測部４は、例えばＬ１相と中性相との間の相間電圧、Ｌ２相と中性相との間の相間電圧をそれぞれ分圧抵抗（図示せず）で分圧して得た電圧をもとに、各相間の入力電圧を計測する。
【００１５】
計量部５は、電流・電圧計測部４によって計測された入力電流及び入力電圧をもとに、電力事業者から供給され、需要家によって消費された電力量を計量する。
【００１６】
表示部６は、例えば液晶ディスプレイからなり、計量部５が求めた電力量などを表示する。
【００１７】
通信部７は、端子部２に接続された電力線１００を介して、外部の装置（例えば電力事業者の管理装置や需要家内のＨＡＮ（Home Area Network）コントローラなど）との間で電力線通信方式により通信を行う。例えば通信部７は、計量部５が求めた電力量を、電力線搬送通信により外部の装置に送信する。尚、電力線通信の伝送方式としては例えばＨＤ−ＰＬＣやＧ３−ＰＬＣやＰＲＩＭＥなどの伝送方式がある。また、通信部７の通信方式は電力線搬送通信方式に限定されるものではなく、ＺｉｇＢｅｅなどの近距離無線や、３Ｇなどの携帯電話網を利用した無線通信でもよい。
【００１８】
開閉部８は、端子部２と端子部３の間を接続する内部配線の途中に接続されたリレーからなり、通信部７から遮断命令が入力されると、リレーをオフさせて、需要家側への電力供給を遮断する。例えばある需要家が電気料金を長期間滞納した場合や、ある需要家で電力の不正使用が発見された場合、電力事業者の管理装置から遠隔検針装置１に遮断命令が送信される。通信部７が、管理装置から送信された遮断命令を受信すると、開閉部８にリレーをオフさせており、需要家側への電力供給が遮断される。
【００１９】
検知部９は、後述の端子カバー２０がケース１０に取り付けられているか否かを検知する。
【００２０】
次に図１〜図３を参照して遠隔検針装置１の構造を説明する。以下では、図１（ａ）に示す向きを基準として上下左右の方向を規定し、図１（ｂ）における左側を前側として説明を行う。尚、この方向は説明の便宜上定義するものであり、実際の取付方向が上記の方向に限定されるものではない。
【００２１】
図１に示すように遠隔検針装置１の外殻はケース１０と端子カバー２０とで構成される。
【００２２】
ケース１０は、後側のボディ３０と、前側のカバー４０とを組み合わせることによって、横長の直方体状に形成されている。
【００２３】
ボディ３０及びカバー４０はそれぞれ合成樹脂成型品からなり、ケース１０を前後方向において二つ割りにしたような形状に形成されている。カバー４０が備える上下左右の側板の後端縁には、ボディ３０の対応する側板の内面に、内側から当接する段部４１がそれぞれ設けられている。カバー４０の上側板の段部４１には貫通孔（図示せず）が設けられており、この貫通孔に嵌合する突起３１がボディ３０の上側板に設けられている。また、ボディ３０の下側の側板には、段部４１よりも上側に位置するネジ受け台３２が部分的に設けられており、カバー４０の下側の側板には、ネジ受け台３２の表面（下面）に外側から当接する帯状の板片４２が一体に設けられている。ネジ受け台３２にはネジ穴が設けられ、このネジ穴にねじ込むためのネジを通す孔が板片４２に設けられている。
【００２４】
ケース１０の組立時、作業者は、先ずボディ３０の突起３１をカバー４０の段部４１に設けた孔に嵌合させるようにして、ボディ３０とカバー４０の開口部分を突き合わせ、カバー４０の段部４１をボディ３０の側板の内面に内側から当接させる。この時、ネジ受け台３２の下側の凹部３３内にカバー４２の板片４２が入り込み、ネジ受け台３２の表面（下面）に板片４２が当接する。この状態で、作業者は、板片４２の孔に通したネジ５０を、ネジ受け台３２に設けられたネジ穴にねじ込み、ボディ３０とカバー４０とを結合する。ここにおいて、本実施形態ではネジ５０により、ケース１０を構成する複数の部材同士（本実施形態ではボディ３０とカバー４０）を結合する結合部材が構成される。尚、結合部材はネジに限定されるものではなく、リベットなど適宜の結合部材を用いてもよい。
【００２５】
このケース１０の内部には、電流・電圧計測部４と計量部５と表示部６と通信部７と開閉部８と検知部９とを含む電気回路が形成された２枚の回路基板６０，６１が収納されている。ケース１０の前面（すなわちカバー４０の前面）には表示部６のパネル部分が配置されている。
【００２６】
図２及び図３に示すように、ボディ３０の下面には、前後方向の厚み寸法がボディ３０よりも薄く、前面がケース１０よりも後側に位置する板状の端子台１１が下方に突出する形で設けられている。尚、端子台１１と別体に形成されたボディ３０が端子台１１に固定されていてもよいし、端子台１１とボディ３０とを一体に形成してもよい。
【００２７】
端子台１１の前面には６個の穴１２が左右方向に並んで設けられている。各々の穴１２の下部は、端子台１１の下面から上向きに形成された穴１３と繋がっている。各々の穴１２の後端面には端子板１４が配置されている。端子板１４において、電線挿入用の穴１３に対応する部位には２個のネジ孔１４ａが上下に並べて形成されており、各々のネジ孔１４ａに端子ねじ１５がねじ込まれている。施工者が、電線１０２の先端の絶縁被覆を剥いて芯線１０３を露出させ、露出させた芯線１０３を穴１３内に挿入した後、端子ねじ１５をねじ込むと、電線１０２の芯線１０３が端子ねじ１５によって固定されるとともに、芯線１０３が端子板１４に電気的に接続される。ここにおいて、各々の穴１２内に配置された端子板１４と２個の端子ねじ１５とでネジ端子が構成される。図２（ａ）に示すように、左側の３組のネジ端子は、一次側の端子部２を構成する３極の端子２ａ，２ｂ，２ｃとなり、右側の３組のネジ端子は、二次側の端子部３を構成する３極の端子３ａ，３ｂ，３ｃとなる。これらの端子２ａ〜２ｃ、３ａ〜３ｃは、ケース１０の外側に露出した状態で配置されている。
【００２８】
端子カバー２０は合成樹脂成型品からなる。端子カバー２０は、矩形板の下側を斜め後方に折り曲げたような形状に形成された前板２０ａと、前板２０ａの左右の側縁からそれぞれ後側に突出する一対の側板２０ｂと、前板２０ａの下側縁から後側に突出する底板２０ｃとを一体に備えている。底板２０ｃには、外部から電力線１００，１０１を導入するための溝２０ｄが設けられている。端子カバー２０の前板２０ａには、端子カバー２０をケース１０に固定するためのネジ（図示せず）を挿通する貫通孔２１が左右に設けられている。貫通孔２１の周りにはネジの頭部を収める座ぐり穴２１ａが設けられている。端子台１１には、貫通孔２１に対向する位置（正面から見て貫通孔２１と重なる位置）に孔１６が設けられ、孔１６の後側にはナット（図示せず）が配置されている。而して、施工者が、端子部２，３を覆うようにして端子カバー２０を端子台１１に被せた後、貫通孔２１と孔１６とにネジを通し、このネジを孔１６の後側に配置されたナットにねじ込むと、端子カバー２０がケース１０にネジで結合される。施工者は、端子カバー２０をケース１０にネジで固定した後、座ぐり穴２１ａにテープを貼り付けるなどして封印を施し、悪戯などで端子カバー２０が外されないようにしている。図１に示すように、端子カバー２０がケース１０に取り付けられた状態では、ボディ３０とカバー４０とを結合するためのネジ５０が端子カバー２０によって覆われている。
【００２９】
また端子カバー２０の前板２０ａの上端部には、後方に向かって突出し、ケース１０の下側の側面に当接する突起２０ｅが設けられている。ケース１０の下側の側面には、突起２０ｅと重なる部位に孔４３が形成されている。ケース１０の内部には、上記の検知部９を構成する押釦形の検知スイッチ９ａが収納されており、検知スイッチ９ａの押釦９ｂが孔４３を通して外部に突出している。端子カバー２０がケース１０に取り付けられた状態では、突起２０ｅで押釦９ｂが押されることによって、検知スイッチ９ａの内部接点が例えばオン状態に切り替わる。一方、ケース１０から端子カバー２０が外された状態では、押釦９ｂが突起２０ｅで押されなくなるので、検知スイッチ９ａの内部接点が例えばオフ状態に切り替わる。
【００３０】
而して、端子カバー２０がケース１０に取り付けられているか否かによって、検知スイッチ９ａの内部接点のオン／オフが切り替わることになる。計量部５は検知スイッチ９ａの接点信号を監視しており、検知スイッチ９ａの接点信号をもとに端子カバー２０がケース１０に取り付けられているか否かを判断する。計量部５は、検知スイッチ９ａの接点信号をもとに端子カバー２０が外されたと判断すると、端子カバー２０が外されたことを報知する報知信号を自機の識別情報とともに通信部７から電力事業者の管理装置へと送信させる。電力事業者の管理装置は、遠隔検針装置１から報知信号と識別情報を受信すると、送信元の遠隔検針装置１を特定する情報（例えば需要家の名称や設置場所など）とともに、端子カバー２０が外されたことをモニタに表示させる。したがって、電力事業者の管理者は、管理装置のモニタに表示された内容から、端子カバー２０が外された状況と、端子カバー２０が外された遠隔検針装置１の情報とを確認することができる。
【００３１】
以上説明したように、本実施形態の遠隔検針装置１は、計量部５と、通信部７と、ケース１０と、端子２ａ〜２ｃ，３ａ〜３ｃと、端子カバー２０と、検知部９とを備える。計量部５は、需要家に送電網を通じて電力を供給する電力事業者から送電網を通じて供給され、需要家によって消費される電力量を計量する。通信部７は、計量部５の計測結果を外部へ送信する。ケース１０は、少なくとも計量部５を内部に収納する。端子２ａ〜２ｃ，３ａ〜３ｃはケース１０の外側に露出した状態で配置されている。端子カバー２０は、端子２ａ〜２ｃ，３ａ〜３ｃを覆うようにしてケース１０に取り付けられる。検知部９は、端子カバー２０がケース１０に取り付けられているか否かを検知する。ケース１０は、複数の部材（本実施形態ではボディ３０とカバー４０）を組み合わせることによって構成される。複数の部材を組み合わせた状態で部材同士を結合するための結合部材（ネジ５０）は、端子カバー２０によって覆われる領域に設けられている。
【００３２】
ところで、悪戯などでケース１０を開けるためには、結合部材を外す必要があるが、結合部材は端子カバーで覆われる領域に配置されているので、先ず端子カバー２０をケース１０から取り外す必要がある。端子カバー２０が外された場合、端子カバー２０が外されたことを検知部９が検知できるので、検知部９の検知結果をもとに、端子カバー２０が外された状態、又は、端子カバー２０が外され且つケース１０が開けられた状態の何れかが発生したことを検知できる。よって、悪戯などでケース１０が開けられた場合に、ケース１０が開けられたことに気付かずに、放置されてしまう事態を回避できる。また、１つの検知部９だけで、端子カバー２０で覆われる領域と、ケース１０の内部領域との両方又は何れか一方が露出したことを検知することができる。よって、端子カバー２０が外されたか否かを検知する検知部とは別に、ケース１０が開けられたか否かを検知する手段を設ける必要が無く、コストダウンを図ることができる。
【符号の説明】
【００３３】
１  遠隔検針装置
２  端子部
２ａ〜２ｃ  端子
３  端子部
３ａ〜３ｃ  端子
５  計量部
７  通信部
９  検知部
９ａ  検知スイッチ
９ｂ  押釦
１０  ケース
２０  端子カバー
２０ｅ  突起
３０  ボディ（部材）
４０  カバー（部材）
５０  ネジ（結合部材）
１００，１０１  電力線
【図１】
2014153296.tif 000003
【図２】
2014153296.tif 000004
【図３】
2014153296.tif 000005
【図４】
2014153296.tif 000006